(57)【要約】      （修正有）【課題】建設現場などで作業用電気機器を用いた工事作業が終了し，作業が行われていないと判断された後は，自動的に電路への電源供給を停止する作業状態監視制御装置ならびに回路遮断器を提供する。【解決手段】電路に接続されて使用される作業用電気機器の使用状態を検出し，該作業用電気機器の使用状態に応じて信号を出力する機器使用状態検出手段と，前記機器使用状態検出手段から出力された信号に基づいて，作業用電気機器を用いた作業が終了したか否かを判定し作業が終了したと判定した場合には信号を出力する判定手段と，前記判定手段から出力された信号に基づいて駆動し，外部に出力信号を出力する出力回路とを備えたことを特徴として作業状態監視制御装置を提供した。【選択図】図１
2010063247.tif 000002
【特許請求の範囲】
【請求項１】
電路に接続されて使用される作業用電気機器の使用状態を検出し，該作業用電気機器の使用状態に応じて信号を出力する機器使用状態検出手段と，
前記機器使用状態検出手段から出力された信号に基づいて，作業用電気機器を用いた作業が終了したか否かを判定し作業が終了したと判定した場合には信号を出力する判定手段と，
前記判定手段から出力された信号に基づいて駆動し，外部に出力信号を出力する出力回路とを備えたことを特徴とする作業状態監視制御装置。
【請求項２】
前記作業状態監視制御装置から出力された信号に基づいて動作する引外し手段と，
該引外し手段が作用することにより駆動し接続された電路を開状態とするとともに操作ハンドルを操作することにより電路を開閉する接点開閉機構部と，
を備えたことを特徴とする回路遮断器。
【請求項３】
前記機器使用状態検出手段は，電路に流れる電流ならびに電圧を検出する検出手段であって，
該検出手段により検出された検出電流ならびに検出電圧から求められる電力値が，予め定められた閾値以下であれば作業が終了したと判断することを特徴とする請求項１記載の作業状態監視制御装置又は請求項２記載の回路遮断器。
【請求項４】
前記機器使用状態検出手段は，電路に流れる電流ならびに電圧を検出する検出手段であって，
該検出手段により検出された検出電流ならびに検出電圧から求められる電力値に対して，
所定時間毎にサンプリングされた電流データを経時的に比較し，
比較した結果の変化幅データが，予め定められた閾値以下であれば作業が終了したと判断することを特徴とする請求項１記載の作業状態監視制御装置又は請求項２記載の回路遮断器。
【請求項５】
前記機器使用状態検出手段は，電路に流れる電流を検出する検出手段であって，
該検出手段により検出された検出電流に対して，
所定時間毎にサンプリングされた電流データに基づいて，
電流波形の様相をパラメータ化し，
該パラメータを経時的に比較した結果の変化値データが，
予め定められた閾値以下であれば作業が終了したと判断することを特徴とする請求項１記載の作業状態監視制御装置又は請求項２記載の回路遮断器。
【発明の詳細な説明】
【技術分野】
【０００１】
本発明は，電路に接続されて使用される作業用電気機器などの通電状態を監視し，該作業用電気機器の通電状態に応じて電路への電力供給を自動的に遮断制御する装置及び回路遮断器に関する。
【背景技術】
【０００２】
建設現場などで，作業の進行状況に応じて，一定の期間，電力の使用が必要となるような場所では，作業用電気機器への電源供給のために，仮設用分電盤を設置して工事作業を行っている。
【０００３】
このような仮設用分電盤としては，例えば特許文献１に開示されたような分電盤が使用される。仮設用分電盤は，その外郭をなす筐体内に，主開閉器と該主開閉器の負荷側に接続された分岐開閉器とを備えて構成される。そして，前記筐体内の主開閉器には分電盤の一次側電路を構成する電線を引き込み接続するとともに，分岐開閉器には分電盤の二次側電路を構成する電線を引き込み接続して，前記作業用電気機器への電源供給を行うよう用いられる。
【特許文献１】特開２００１−１５７３２８号  図１
【発明の開示】
【発明が解決しようとする課題】
【０００４】
前述したような仮設用分電盤の使用形態としては，日毎の始業時に主開閉器および分岐開閉器をＯＮ操作し，終業時にＯＦＦ操作して用いられることが多い。
【０００５】
しかしながら，建設現場などでは，土木工事，建築工事，配管工事など様々な業種の作業者が多数出入りして工事を進めることが一般的であり，前記仮設用分電盤に設けられる主開閉器ならびに分岐開閉器のＯＮ操作もしくはＯＦＦ操作は，個々の業者や作業員がそれぞれ必要に応じて行うことが常である。
【０００６】
そして，日毎の作業の終業時に，誰が責任を持って開閉器をＯＦＦするのかは，その時々の作業の進捗具合や出入りする作業者でまちまちであり，終業後も開閉器がＯＦＦ操作されず，開閉器を切り忘れた場合には翌日の作業開始まで作業用電気機器に電力が供給され続けている事例が見受けられる。
【０００７】
さて，このように作業の終了後も開閉器がＯＦＦ操作されず，電源が電路に供給され続けた場合，次のような不都合がある。
【０００８】
第一に余分なエネルギーが消費されることに伴い環境面での問題がある。
【０００９】
例えば，工事作業現場等で溶接の為に用いられる交流アーク溶接機の使用時の消費電力は，出力にもよるが，約１ｋＷから数ｋW程度であり，待機電力は，１台当たり２００Ｗ〜３００Ｗ程度である。
【００１０】
即ち，溶接機に電源の供給が続けられている限り，待機電力だけで１台当り数百ワットもの余分な電力を消費し続けることとなり，ＣＯ２の排出など，環境負荷が高くなるという課題がある。
【００１１】
仮に，終業時（１７：００）から翌朝の始業時（８：００）まで，夜間１５時間の待機電力量は，２００W×１５ｈ＝３ｋWhとなる。１月では，３ｋWh×３０日＝９０ｋWhとなり，１年では，９０ｋWh×１２カ月＝１０８０ｋWhとなる。これは，「地球温暖化対策の推進に関する法律施行令」によれば，二酸化炭素に換算すれば，１カ月で約５０ｋｇの二酸化炭素の量に相当し，１年では約６００ｋｇもの二酸化炭素に相当する量となる。
【００１２】
第二に安全上の問題がある。
【００１３】
仮設現場における電路は移動用の電線や機器がほとんどで，電気・機械的な保護が他の設備に比べて十分でない場合が多い。そのような電路で，且つ無人の状態で電気供給が継続されていると，短絡や漏電などの事故が起こった際，発見が遅れ，火災に至る危険性がある。
【００１４】
また，始業時に機器の配線替えなどを行う場合，前日に仮設用分電盤の開閉器がＯＦＦされているものと勘違いして，充電部に直接触れてしまい，感電し人身災害に至る場合もある。このようなことから，工事作業現場では作業の終了後は開閉器がＯＦＦされていることが望ましい。
【００１５】
そこで，本件の発明の目的とするところは，建設現場などで作業用電気機器を用いた工事作業が終了し，作業が行われていないと判断された場合は，自動的に電路への電源供給を停止する作業状態態監視制御装置ならびに回路遮断器を提供することである。 
【課題を解決するための手段】
【００１６】
上記の課題を解決するため，本件発明の請求項１では，
電路に接続されて使用される作業用電気機器の使用状態を検出し，該作業用電気機器の使用状態に応じて信号を出力する機器使用状態検出手段と，
前記機器使用状態検出手段から出力された信号に基づいて，作業用電気機器を用いた作業が終了したか否かを判定し作業が終了したと判定した場合には信号を出力する判定手段と，
前記判定手段から出力された信号に基づいて駆動し，外部に出力信号を出力する出力回路とを備えたことを特徴として作業状態監視制御装置を提供した。
【００１７】
これにより，工事作業が終了し，作業が行われていないことを的確に判定することができるため，出力回路からの出力信号に基づいて適切な制御を行うことができ，余分なエネルギーが消費されることに伴う環境面での問題が解消できるとともに，安全上の問題も解消することができる。
【００１８】
また，前記作業状態監視制御装置から出力された信号に基づいて動作する引外し手段と，
該引外し手段が作用することにより駆動し接続された電路を開状態とするとともに操作ハンドルを操作することにより電路を開閉する接点開閉機構部と，
を備えたことを特徴として回路遮断器を提供してもよい。
【００１９】
これにより，出力回路からの出力信号に基づいて，引外し手段を駆動させることにより，接点開閉機構が電路を切り状態とし，作業の終了後に電力が電路に供給され続けるようなことがなく，余分なエネルギーが消費されることに伴う環境面での問題が解消できるとともに，安全上の問題も解消することができる。
【００２０】
また，前記機器使用状態検出手段は，電路に流れる電流ならびに電圧を検出する検出手段であって，該検出手段により検出された検出電流ならびに検出電圧から求められる電力値が，予め定められた閾値以下であれば作業が終了したと判断することを特徴として作業状態監視制御装置又は回路遮断器を提供してもよい。
【００２１】
これにより，電流の検出は簡易な方法で行えつつ，電力値を用いて判定を行うことにより，無効電流の影響を受けずに検出値と閾値の比較判定が行え，前記閾値を適宜定めることにより，種々の作業現場毎で異なる作業用電気機器の消費電流状態に応じた対応が可能となり，該閾値と検出電力との比較演算を行うことで，作業終了時における作業用電気機器を使用しない場合の電流状態を適切に把握することができる。
【００２２】
また，前記機器使用状態検出手段は，電路に流れる電流ならびに電圧を検出する検出手段であって，
該検出手段により検出された検出電流ならびに検出電圧から求められる電力値に対して，
所定時間毎にサンプリングされた電流データを経時的に比較し，
比較した結果の変化幅データが，予め定められた閾値以下であれば作業が終了したと判断することを特徴として作業状態監視制御装置又は回路遮断器を提供してもよい。
【００２３】
これにより，電流の検出は簡易な方法で行えつつ，電力値の変化分に基づいて判定を行うことができるから，前記閾値を適宜定めることにより，種々の作業現場毎で異なる作業用電気機器の消費電流状態に応じた対応が可能となり，作業用電気機器の動作状態と待機状態とで変化する電力の大きさの変化幅を捉えて比較演算を行うことで，作業終了時における作業用電気機器を使用しない場合の電力状態を適切に把握することができる。
【００２４】
また，前記機器使用状態検出手段は，電路に流れる電流を検出する検出手段であって，
該検出手段により検出された検出電流に対して，
所定時間毎にサンプリングされた電流データに基づいて，
電流波形の様相をパラメータ化し，
該パラメータを経時的に比較した結果の変化値データが，
予め定められた閾値以下であれば作業が終了したと判断することを特徴として作業状態監視制御装置又は回路遮断器を提供してもよい。
【００２５】
これにより，作業用電気機器の使用時と待機時それぞれにおける消費電力や消費電流の差の大きさの大小に係わらず，常に，作業用電気機器が使用中であるか，そうでないのかを，的確に求めることができる作業状態監視制御装置又は回路遮断器を提供することができる。
【発明の効果】
【００２６】
本件の発明によれば，建設現場などにおいて，電路に接続されて使用される作業用電気機器を用いた作業の終了後には自動的に作業用電気機器への電源供給を停止することができ，余分なエネルギーが消費されることに伴う環境面での問題，ならびに，安全上の問題を解消することかできる作業状態監視制御装置又は回路遮断器を提供することができる。
【発明を実施するための最良の形態】
【００２７】
次に本件発明を図面により詳細に説明する。図１は本発明の作業状態監視制御装置の一実施例である。図１において１，２，３は単相３線式，三相３線式などの電路である。４は接点装置で，９の接点開離手段の作用により，電路を遮断するものである。接点装置としては，電磁接触器や遮断器を用いるとよい。５は検出手段で，電路に流れる電流並びに電圧を検出し，検出信号を判定手段６へ入力する。６は判定手段で検出手段５から出力される信号を受けて所定の手順に基づいて，作業用電気機器を使用した作業が終了したかどうかを判定する。作業が終了していると判定すれば８の出力回路から９の接点開離手段を駆動して電路への電源の供給を停止する。
【００２８】
次に，前述の判定手段６で行われる第一の判定方法について説明する。第一の判定方法は，電路に接続された作業用電気機器の使用に伴う電力を求め，求めた電力の大きさと，予め定めた閾値とを比較演算することにより，該電力が閾値以上に使用されていれば，作業用電気機器を用いた工事作業が行なわれていると判断するものである。
【００２９】
この第一の判定方法を図１を用いて説明する。図１において５は電力の検出手段である。電力の検出手段５は，電流検出手段５１と電圧検出手段５２で構成され，検出電流ならびに検出電圧に基づいた信号を出力する。電流検出手段５１としては，変流器やシャント抵抗などを用いて構成するとよい。また，電圧検出手段５２としては電圧センサなどを用いて構成するとよい。単相２線式のときは，２本のうち一線に，単相３線式のときは，電源側の２線に，三相３線式のときは，ＵＶＷのうち２本の線の電流を検出するように配置する。
【００３０】
判定手段６は，マイコンを用いて構成している。検出手段５で検出した電流に基づく信号と電圧に基づく信号を受けて，電力を演算により求めて，該電力が予め閾値設定手段６１により定められた閾値以下かどうかを判定し，閾値以上になるとタイマー６２がリセットする。
【００３１】
検出した電流／電圧信号は，作業用電気機器の使用以外にも，電圧変動やノイズなどにより，経時的にその大きさが細かく変動する。このため，作業用電気機器を用いた工事作業を行っているか否かをより正確に判定するため，検出した電流／電圧信号において，１波毎に判定処理をさせるのではなく，ある程度の時間幅を一区切りとして，その間の電力の大きさを平均化して不用な変動による誤判定を回避するように構成している。
【００３２】
より詳しくは，商用周波数の１０波毎に電力の平均値を前記判定手段６２１で演算して求め，その平均値が予め閾値設定手段６１により定められた閾値以下かどうかを判定し，閾値以上になるとタイマー６２がリセットするように構成している。本実施例では，商用周波数である５０Ｈｚと６０Ｈｚの公倍数を整数で除して得られた一区切りの時間としているが，この他，不用な変動による誤判定を回避できる時間幅を適宜定めてもよい。
【００３３】
タイマーのカウントアップ時間は，切替スイッチにより，３０分とか１時間程度に設定し，電力が閾値以下の状態がカウントアップ時間継続すれば作業が終了したと判定し，８の出力回路を駆動させて接点９を開路する。
【００３４】
電力が零かそうでないかでなく閾値を設けたのは，負荷を接続していなくても電路と大地間の静電容量による暗電流が流れることや，機器の切り忘れによる待機電流があることを考慮したものである。現場の状況に応じて閾値を切り替えられるようにするとよい。
【００３５】
この閾値としては，切替スイッチなどを用いて，例えば，０．５ｋＷ，１ｋＷ，１．５ｋＷ，２ｋＷ，２．５ｋＷ，３ｋｗなど，０．５ｋＷ刻みで，種々の工事現場で想定しうる電力値に切替設定できるようにするとよい。なお，切替スイッチではなく，閾値の値を連続的に変更できる無段階スイッチを用いて構成してもよい。
【００３６】
なお，単相３線式や，三相３線式では，３線のうち２線に設置した電流検出手段である変流器やシャント抵抗など，２つの電流検出素子の出力について，それぞれの出力について個別に処理を行い，どちらかの出力が閾値を下回った場合に作業が行われていないと判定するよう構成してもよいし，それぞれの出力を合算しその合計が，閾値を下回った場合に作業が行われていないと判定するよう構成してもよい。
【００３７】
また，判定方法として，電力を用いる以外の方法として，検出した電流の大きさと閾値とを比較演算する方法としてもよい。作業用電気機器が，例えば工事作業によく用いられる交流アーク溶接機のような場合，待機時の電流は無効電流を含めると約１０Ａ〜２０Ａであり，溶接時の電流約３０Ａ〜４０Ａに比べて待機時の電流の割合が多い。このため，待機時と溶接作業時における電流の差が相対的に少なくなるが，閾値を現場の状況に応じて適切となるように合わせることにより，電力を演算することなく検出できる。
【００３８】
ただ，第一の方法のように，電力を求めて，閾値と比較する方法であれば，交流アーク溶接機の場合においても，該溶接機の待機時の電力は約２００Ｗ程度であるのに対し，溶接時の電力は２ｋＷ程度にもなるから，閾値の設定の厳密さが緩和され，作業が行われている／いないという状態の判定を，閾値の厳密より正確に行うことができる。
【００３９】
次に，前述の判定手段６で行われる第二の判定方法について説明する。第二の判定方法は，前述の第一の判定方法と同じく電力の検出を行うが，検出した電力の大きさの経時的な変動分に基づいて判定を行う方法である。
【００４０】
この場合も，構成は基本的に第一の判定方法と同じである。図１に示したように，電力の検出手段５は，電流検出手段５１と電圧検出手段５２で構成され，検出電流ならびに検出電圧に基づいた信号を出力する。電流検出手段５１としては，変流器やシャント抵抗などを用いて構成するとよい。また，電圧検出手段５２としては電圧センサなどを用いて構成するとよい。
【００４１】
判定手段６は，マイコンを用いて構成している。検出手段５で検出した電流に基づく信号と電圧に基づく信号を受けて，電力を演算により求め，その際に，所定時間の間にサンプリングされた電流データならびに電圧データをひとつのユニットデータとして扱い，経時的に得られる前記ユニットデータ毎に求められる電力の大きさを比較し，比較した結果の電力の大きさの変化幅データ（変動分）が，閾値設定手段６１により予め定められた閾値以下であれば作業が行われていないと判断するものである。
【００４２】
検出した電流／電圧信号は，作業用電気機器の使用以外にも，電圧変動やノイズなどにより，経時的にその大きさが細かく変動する。このため，作業用電気機器を用いた工事作業を行っているか否かをより正確に判定するため，検出した電流／電圧信号において，１波毎に判定処理をさせるのではなく，ある程度の時間幅を一区切りとして，その間の電力の大きさを平均化して不用な変動による誤判定を回避するように構成している。
【００４３】
より詳しくは，商用周波数の１０波毎に電力の平均値を前記判定手段６で演算して求め，その平均値が予め閾値設定手段６１により定められた閾値以下かどうかを判定し，閾値以上になるとタイマー６２がリセットするように構成している。
【００４４】
なお，タイマー６２の動作は第一の方法と同じく，求めた電力の大きさの変化幅データが，前記閾値を下回った場合には，タイマー６２のカウントを開始し，電力の大きさの変化幅データが前記閾値を超えた場合には，タイマー６２のカウントをリセットする。
【００４５】
また，本実施例では，１０波毎を一区切りとして平均化して比較の演算を行っているが，例えば１秒毎を一区切りとして，より，時間幅を大きくして平均化して比較の演算を行ってもよい。
【００４６】
第二の判定方法が，第一の方法と異なる点は，図の判定手段６が，判定の際に，前記ユニットデータ毎の電力の大きさを経時的に比較し，比較した結果の電力の大きさの差分を変化幅データとして，該変化幅データを判定材料とする点と，該変化幅データと予め設定された閾値と演算により比較する点である。なお，前記変化幅データが閾値を超えた場合はタイマー６２２をカウントをリセットし，継続して変化幅データと閾値の比較演算を行う。
【００４７】
さて，第一の判定方法によって判定を正しく行うためには，予め定めておく閾値の設定値が重要となる。即ち，作業現場で使用する作業用電気機器の台数や，種類，そして，消費電流の大きさ，待機電流の状態を想定して，閾値をこまめに調整しながら，適切な閾値を設定する必要がある。
【００４８】
例えば，建設現場などで多用される交流アーク溶接機においては，待機時の電流は無効電流を含めると約１０Ａ〜２０Ａであり，溶接作業時の電流約３０Ａ〜４０Ａに比べて待機時の電流の割合が多い。また，溶接機の使用台数は作業現場によってまちまちであり，使用する溶接機の種類によっても待機電流と溶接時の電流は異なることから個々の現場で待機電流は大幅に異なることが通常である。
【００４９】
このような状況下において，１台の溶接機の溶接作業を検出しようとすると，第一の方法によれば予め設定する閾値は，その現場における待機電流及び電圧から求められる電力を適切に反映したものでなければ，作業用電気機器を用いた作業が行われている／いないという状態を検出することが困難であるが，その点，第二の方法によれば，前記ユニットデータ毎の電流の大きさの変化分に基づいて判断を行うため，待機電流や使用時の電力の大きさにかかわらず，作業が行われている／いないという状態を適切に判定できるから，第一の方法に比べ閾値をこまめに設定しなくても正確に判定ができ，設定の煩わしさがなくなるという利便性がある。
【００５０】
このように，第二の判定方法によれば，第一の判定方法と同様に，閾値を設定するための条件が緩和され，作業用電気機器を用いた作業が行われている／いないという状態の判定をより正確に行うことができる。
【００５１】
次に，前述の判定手段６の第三の判定方法について説明する。第三の判定方法は電流波形の様相変化を検出してパラメータ化し，パラメータの変化に閾値を設ける方法である。そして，パラメータの変化幅が閾値を超えた場合に，作業が行われているものと判断する。
【００５２】
構成は図１と同様であるが，判定手段６では検出手段５の出力波形を基に，パラメータ値を演算しパラメータ値の変化量が閾値を超えたかどうかを判定する。閾値を超えた場合はタイマー６をリセットする。検出手段５は，電流検出手段５１で構成され，検出電流に基づいた信号を出力する。電流検出手段５１としては，変流器やシャント抵抗などを用いて構成するとよい。
【００５３】
パラメータ値としては位相，波形率（＝実効値／平均値），波高率（＝最大値／実効値），最大値／平均値，フーリエ級数展開による次数成分量などを用いるとよい。
【００５４】
図２は，作業用電気機器として前述の交流アーク溶接機を例として，該交流アーク溶接機の待機電流と溶接時電流の電流波形の一例を示したものである。図２に示したように，待機時と溶接時では波形率，波高率，最大値／平均値に差があることが読み取れ，これらの差は，図２の待機時の電流と溶接時の電流をフーリエ級数展開することで，それぞれの波形によって異なる次数の成分量が算出される。
【００５５】
従って，特定の次数の成分量や次数毎の成分量の構成比などをパラメータとして用いることができる。基本波成分以外の成分量は歪み量となるから歪み率をパラメータとすることもできる。
【００５６】
以上の第一から第三の方法は判定方法として単独で用いることもできるし，組み合わせて用いることも可能である。
【００５７】
次に，本発明の回路遮断器について図３を用いて説明する。
【００５８】
図３には，本発明の回路遮断器の外観図を示している。本実施例における回路遮断器は，電路に接続されて必要に応じて電路を遮断する機能を備えた遮断ブロックと，電路における使用電流や電力を演算により求め，作業用電気機器が使用されているか否かの判定を行い，作業用電気機器が使用されていると判定した場合には遮断ブロックに信号を送出し，電路の遮断のトリガとなる判定ブロックとを連結手段により連結して構成したものである。
【００５９】
遮断ブロック１１０は，電路に流れる電流を検出する電流検出手段ならびに電路の電圧を検出する電圧検出手段と，電路を入切する接点開閉機構部と，該接点開閉機構部に作用し，接点を開状態にせしめる引外し手段とを備えている。
【００６０】
電流検出手段としては，電路を貫通させて設けられる変流器を用いている。電圧検出手段としては，一般的な抵抗を用いた電圧センサを用いている。また，本実施例では，電流検出手段は，図中の電路におけるＵ相とＷ相に設けて，作業用電気機器を用いた作業を行うことにより発生する消費電流の大きさを検出している。なお，単相３線式の場合には各電圧線に変流器を設けて構成するとよい。電流検出手段としてはこの他にシャント抵抗やホール素子などを用いて構成してもよい。
【００６１】
前記引外し手段は，開閉機構部に作用する鉄芯を備えたトリップコイルを用いて構成している。該トリップコイルに電流が流れると，電磁力により鉄芯がコイル内部に引き込まれ，開閉機構部が備えたラッチを引外し，接点を開状態にせしめる。なお，引外し手段としては，エネルギーを供給することにより機械的変位を行う圧電素子や，アクチュエータなどを用いて構成してもよい。遮断ブロック１１０のベースとして，引外し手段が備えられた回路遮断器を用いて適宜電流検出手段を組み込み構成してもよい。
【００６２】
１２０は，前記遮断ブロック１００と，機械的な係合部などにより構成された連結手段により連結されて用いられる判定ブロックである。
【００６３】
判定ブロック１２０は，前記遮断器ブロック１１０に備えられた電流検出手段ならびに電圧検出手段から出力された信号に基づいて，電路から電源を供給される作業用電気機器を用いた作業が行われているか否かを判定し，作業が行われていないと判定した場合には信号を出力する判定手段と，前記判定手段から出力された信号に基づいて前記引外し手段を駆動させる引外し駆動手段とを備えている。
【００６４】
本実施例では，判定手段として，Ｉ／Ｏポートや，プログラムデータ記憶領域，演算処理部などを備えたマイコンを用いて構成し，引外し駆動手段として，該マイコンから出力された信号をトリガとして駆動し，前記引外し手段の電源経路の一部となるサイリスタを用いて構成している。なお，引外し駆動手段としては，この他リレーや半導体スイッチを用いて構成してもよい。
【００６５】
判定ブロック１２０は，前記遮断ブロック１１０内に設けられた電路に接続されて電源を取得する電源取得部と，電流検出手段から出力される信号を取得する電流電圧検出信号取得部と，引外し手段を駆動させる引外し手段駆動経路接続部を備え，遮断ブロックとの間で電源及び信号の送受信を行う。
【００６６】
本実施例では，遮断ブロックの外郭を構成する器体の一部に，これら電源取得部，電流電圧検出信号取得部，引外し手段駆動経路接続部を構成するリード線を配設するための孔部を設け，判定ブロックに引き込んでいる。
【００６７】
電源取得部から取得された電源は，判定ブロック内で全波整流され，前記マイコンの駆動に適した電圧に降圧されて，該マイコンに供給される。
【００６８】
電流電圧検出信号取得部から取得された電流検出手段から出力される信号は，マイコンに入力される前に，入力前処理として，電圧増幅回路により電圧増幅され，ローパスフィルターにより不要なノイズが除去され，信号レベル調整回路によりマイコンの入力ポートに適した入力レベルに調整されてマイコンに入力される。なお，本実施例では，電流電圧検出手段を複数設けており，その数だけ入力前処理の系統を設けている。
【００６９】
マイコンに入力された信号は，マイコン内部に記憶された判定プログラムにより，作業が行われているか否かの判定を行い，作業が行われていないと判定した場合には，前記引外し駆動手段に向けて駆動信号を出力する。該駆動信号を受けて引外し駆動手段に出力があると，引外し手段に電圧が印加され，該引外し手段が動作することにより，接点開閉機構部の接点を開状態にせしめる。これにより，電路への電源の供給が停止する。
【００７０】
遮断ブロック１１０と，判定ブロック１２０とは，連結手段により連結されて構成されている。連結手段として種々の回路遮断器を汎用的に用いるため粘着剤を塗布したシートを用いて構成している。この他，機械的な引掛部を遮断ブロック１１０と判定ブロック１２０に各々設けて，互いに係合するように構成してもよい。
【００７１】
判定ブロック１２０において，１２３が閾値設定手段で，５Ａから３０Ａまで５Ａ刻みで設定できる切替スイッチを用いて構成している。また，判定動作そのものの機能をＯＦＦすることができるよう，機能ＯＦＦの選択も行えるようにしている。
【００７２】
１２４は，タイマー時間を設定するタイマー設定手段であり，３０分，１時間のいずれかを選択できるようにしている。
【００７３】
１２５は，電源ランプであり，ＬＥＤを用いて構成している。電源ランプはマイコン１２１の出力ポートに電気的に接続されており，判定ブロックが機能している場合に点灯するようにしている。
【００７４】
なお，判定ユニットの判定状況に応じて，該電源ランプの点灯のさせ方を変化させるよう構成してもよい。例えば，通常は点灯を行うが，検出電流に基づき判定処理を行い，タイマー動作が開始した場合には，点滅して，まもなく電源を遮断する旨を知らせるように構成してもよい。予め所定時間後には電路への通電を停止することを周囲に知らしめることにより，突然停電する場合に比べて現場での混乱を低減させることができる。
【００７５】
１２６は，テスト釦である。該テスト釦１２６を操作すると，判定ブロックと遮断ブロックの両方の機能が正常であるかマイコン１２１にて自己チェックを行うよう構成している。
【００７６】
本実施例では，テスト釦１２６を操作した場合，その５秒後に，マイコン１２１の遮断信号を出力するよう構成している。引外し駆動手段は，遮断信号を受けてアノードカソード間が導通状態となるから，遮断ブロックに設けられた引外し手段に電源が印加される。そして，引外し手段が駆動し，接点開閉機構に作用し接点が開状態となる。
【００７７】
また，１１４は遮断表示釦である。遮断表示釦１１４は，判定ブロックの判定により遮断動作した場合に，遮断ブロックの外郭を構成する筐体から突出するよう構成している。具体的には，前記引外し手段１１３に設けられた鉄芯が動作した場合に，該鉄芯の動きと連動して突出／引込するように構成している。
【００７８】
これにより，遮断ブロック１１０の操作ハンドルがＯＦＦ位置にある場合，遮断表示釦１１４の突出状態を合わせて見ることにより，作業が行われていないことを判定ブロック判定して遮断動作したか否かを判断することができる。
【００７９】
このように，なお，図３に示した回路遮断器における遮断ブロックとしては，引外し手段を備えた配線用遮断器や漏電遮断器に改良を加えることで使用することが可能であり，一から新たに，作業用電気機器を使用しているか否かを判定して電路を遮断することが可能な回路遮断器を開発する場合と比べて，該回路遮断器の開発期間を短縮させながら，なおかつ製造コストを低減させて提供できるというメリットがある。
【００８０】
なお，本実施例では，作業状態監視制御装置の機能を有した遮断ブロック１１０と，判定ブロック１２０を連結する構成としたが，図４に示したように，回路遮断器の内部に前記判定ブロック１２０の有する機能を組み込み，専用の回路遮断器として構成してもよい。これにより，判定ブロック部分のスペースが省スペースとなり，仮設分電盤などへ設置する際にスペースが削減できる。
【００８１】
なお，本実施例においては，検出した電流と，予め定めた閾値との比較や判定，並びに引外し駆動手段への出力を，マイコンを用いて行った例を示したが，この他，抵抗やコンデンサを用いて，アナログ的に，電流検出手段から得られた出力値と閾値の設定値とを比較し，閾値の設定値が大きくなった場合には，引外し駆動手段を駆動する回路を構成してもよい。これにより高価なマイコンを用いなくとも，安価なアナログ回路を用いて構成することができる。 
【産業上の利用可能性】
【００８２】
本発明は，建設現場などで用いられる仮設用分電盤に用いることができる。また電気の切り忘れを防止することができることから，同様な目的で可能な範囲で家庭用や工場その他業務用途としても用いることができる。
【図面の簡単な説明】
【００８３】
【図１】第一の実施例の作業状態監視制御装置及び回路遮断器を示すブロック図
【図２】作業用電気機器の電流波形を示した図。
【図３】本発明の回路遮断器の外観図。
【図４】その他の回路遮断器の例を示す外観図。
【符号の説明】
【００８４】
１，２，３  電路
１００  回路遮断器
１１０  遮断ブロック
１１４  遮断表示釦
１２０  判定ブロック
１２３  閾値設定手段
１２４  タイマー設定手段
１２５  電源ランプ
１２６  テスト釦
４  接点装置
５  検出手段
６  判定手段
８  出力回路
９  接点開離手段
【図１】
2010063247.tif 000003
【図２】
2010063247.tif 000004
【図３】
2010063247.tif 000005
【図４】
2010063247.tif 000006